(57)【要約】【課題】本発明は、低気圧化を容易に実現可能な浴室を提供することを課題とする。【解決手段】浴室１内の気体を排出する排気手段４０と、浴室１外の気体が浴室１内に通気する通気部と、通気部を密閉する密閉手段と、を有しており、通気部は、浴室１の壁部２に設けられたドア部１０と壁部２との隙間と、ドア部に形成された開口部と、を含んでなり、気密手段は、壁部２及びドア部１０のいずれか一方に設けられ、壁部２及びドア部１０のいずれか他方に弾接して隙間を密閉するシール部材と、開口部内に所定の間隔を有して回動可能に並列配置された複数の羽根板と、複数の羽根板を回動させて互いの縁部同士を当接させることにより開口部を密閉する回動手段と、を有することを特徴とする【選択図】図１
2010229624.tif 000002
【特許請求の範囲】
【請求項１】
浴室内の気体を排出する排気手段と、浴室外の気体が前記浴室内に通気する通気部と、前記通気部を密閉する密閉手段と、を有することを特徴とする浴室。
【請求項２】
前記通気部は、前記浴室の壁部に設けられたドア部と前記壁部との隙間と、前記ドア部に形成された開口部と、を含んでなり、
前記密閉手段は、
前記壁部及び前記ドア部のいずれか一方に設けられ、前記壁部及び前記ドア部のいずれか他方に弾接して前記隙間を密閉するシール部材と、
前記開口部内に所定の間隔を有して回動可能に並列配置された複数の羽根板と、前記複数の羽根板を回動させて互いの縁部同士を当接させることにより前記開口部を密閉する回動手段と、を有することを特徴とする請求項１に記載の浴室。
【請求項３】
前記ドア部は、前記ドア部の一端側を回動自在に軸支する軸支部と、前記ドア部の他端側中央部に位置して、前記ドア部の閉状態を保持可能なラッチ機構と、を有し、
前記ドア部の他端側の上下の角部、又は、当該角部に対応する前記浴室の壁部には、前記浴室の壁部に対して前記角部を掛止する掛止手段が設けられていることを特徴とする請求項２に記載の浴室。
【発明の詳細な説明】
【技術分野】
【０００１】
本発明は、浴室に関する。
【背景技術】
【０００２】
今日、自律神経のバランスを崩すと、体内の免疫が低下して発病しやすくなる一方で、自律神経のバランスを整えると、体内の免疫が高まって病気を治すことができるという研究成果（安保―福田理論）が発表されている。
【０００３】
そして、前記する研究成果の一つとして、気圧の変化が自律神経に影響を与えることが明らかになってきている。具体的には、外気の気圧よりも僅かに減圧された低気圧の環境下において、白血球中で顆粒球よりもリンパ球が占める割合が高くなり、免疫力が向上するという現象が確認されている。
【０００４】
また、このような現象を利用したものとして、特許文献１には、建物内部が気密可能に形成された住宅であって、建物内部の空気を建物外部に流出させる排気手段と、建物外部の空気を建物内部に流入させる給気手段と、建物内部が低圧になるように、前記排気手段および前記給気手段の少なくともいずれか一方を作動させる制御手段と、を備えた建物内部の気圧を管理する住宅の気圧管理システムが開示されている。
【先行技術文献】
【特許文献】
【０００５】
【特許文献１】特開２００８−１５１４１６号公報
【発明の概要】
【発明が解決しようとする課題】
【０００６】
しかしながら、前記特許文献１に開示される発明は、建物全体を建物の外部よりも低圧にすることを前提としているが、建物全体を気密にすることは非常に多くの手間と費用が掛かる上に、すべての隙間を塞ぐことは困難であった。また、建物全体の気圧を低減するには排気装置を大型化する必要があった。そのため、より簡単に低圧空間を実現する手段が求められていた。
【０００７】
そこで、本発明は、これらの事情に鑑みてなされたものであり、低気圧化を容易に実現可能な浴室を提供することを課題とする。
【課題を解決するための手段】
【０００８】
前記課題を解決するために、本発明に係る浴室は、浴室内の気体を排出する排気手段と、浴室外の気体が前記浴室内に通気する通気部と、前記通気部を密閉する密閉手段と、を有することを特徴とする。
【０００９】
本発明によれば、排気手段により浴室内の気体が排出されるため、浴室内の気圧は減圧し、浴室外の気圧よりも低気圧になる。このとき、通気部が密閉されていなければ、通気部を介して浴室外の気体が浴室内に流入し、浴室内の気圧と浴室外の気圧が等しく保たれるが、本発明では、密閉手段により通気部が密閉されているので、気体の流入が抑制され、減圧状態が維持されることになる。
【００１０】
また、前記通気部は、前記浴室の壁部に設けられたドア部と前記壁部との隙間と、前記ドア部に形成された開口部と、を含んでなり、前記気密手段は、前記壁部及び前記ドア部のいずれか一方に設けられ、前記壁部及び前記ドア部のいずれか他方に弾接して前記隙間を密閉するシール部材と、前記開口部内に所定の間隔を有して回動可能に並列配置された複数の羽根板と、前記複数の羽根板を回動させて互いの縁部同士を当接させることにより前記開口部を密閉する回動手段と、を有するのが好ましい。
【００１１】
かかる構成によれば、シール部材によって、ドア部と壁部との隙間が密閉されるとともに、複数の羽根板を回動させることによって、ドア部に形成された開口部が密閉されるため、浴室内への気体の流入が抑制され、減圧状態が維持されることになる。
【００１２】
また、前記ドア部は、前記ドア部の一端側を回動自在に軸支する軸支部と、前記ドア部の他端側中央部に位置して、前記ドア部の閉状態を保持可能なラッチ機構と、を有し、前記ドア部の他端側の上下の角部、又は、当該角部に対応する前記浴室の壁部には、前記浴室の壁部に対して前記角部を掛止する掛止手段が設けられているのが好ましい。
【００１３】
かかる構成によれば、ドア部の角部又は当該角部に対応する浴室の壁部には、浴室の壁部に対して角部を掛止する掛止手段が設けられているので、浴室内の気圧が減圧されても、ドア部の角部が浴室内側に移動することがない。
よって、本発明では、浴室の壁部とドア部との間には隙間が生じないため、気体が流入することがなく、減圧状態が好適に維持されることになる。
【発明の効果】
【００１４】
以上、本発明によれば、浴室内における低気圧化を実現することができる浴室を提供するこができる。
【図面の簡単な説明】
【００１５】
【図１】本実施形態における浴室内から見た浴室を示す図である。
【図２】図１に示すＡ‐Ａ矢視断面図である。
【図３】本実施形態に用いられる可動式ガラリを示す正面図である。
【図４】開放状態にある可動式ガラリの、図３に示すＢ‐Ｂ矢視断面図である。
【図５】気密状態にある可動式ガラリの、図３に示すＢ‐Ｂ矢視断面図である。
【図６】図３に示すＣ‐Ｃ矢視断面図である。
【図７】変更例におけるスライド式密閉板を備えた可動式ガラリの断面図である。
【発明を実施するための形態】
【００１６】
本実施形態に係る浴室について、図面を参照して詳細に説明する。説明において、同一の要素には同一の符号を付し、重複する説明は省略する。
【００１７】
（浴室１）
浴室は、人が身体の清潔を保つことを目的として、湯や水・水蒸気などに身体を浸すための部屋である。そして、本実施形態における浴室１は、前記目的の他に、利用者の健康増進を図ることを目的として、低気圧化を実施するための設備を備えている。
浴室１は、図１に示すように、浴室１の壁部２に設けられたドア部１０と、可動式ガラリ２０と、排気手段４０とを少なくとも有している。
【００１８】
（ドア部１０）
ドア部１０は、浴室１内と浴室１外を仕切るとともに、開状態で利用者が浴室１内に出入り可能にするための部材である。ドア部１０は、図１に示すように、ドア本体１１と、そのドア本体１１を回動自在に支持する軸支部１３と、ドア本体１１の閉状態を保持するためのラッチ機構１４と、ドア本体１１の角部に設けられた掛止手段１５と、壁部２とドア本体１１の間に介在しているシール部材１７（図２参照）とからなっている。
【００１９】
ドア本体１１は、図１に示すように、浴室１の壁部２に形成された出入り口と同等な大きさの板状部材である。また、ドア本体１１は、後記する軸支部１３により回動自在に軸支されており、ドア本体１１が閉じることによって、浴室１内と浴室１外を仕切ることが可能となる。ドア本体１１は、下側中央部に形成された矩形の貫通孔であるガラリ取付部１２を有している。ドア本体１１は、浴室１に対して内開きに取り付けられている。
なお、ドア本体１１は、気圧差によって変形しないように、例えば、剛性が大きい材質を用いて、変形し難く形成するのが好ましい。
【００２０】
軸支部１３は、図１に示すように、例えば蝶番などのヒンジ部材で構成されている。軸支部１３は、壁部２とドア本体１１の一端側とを接合するように取り付けられて、ドア本体１１を回動自在に軸支している。
また、軸支部１３は、図１に示すように、ドア本体１１の一端側の上部、中央部、下部のそれぞれの位置に接合している。これにより、前記したように、浴室１内の気圧が浴室１外の気圧に比べて低気圧である場合に、その気圧差により、ドア本体１１が浴室内に押し出されるような力を受けたとしても、ドア本体１１の一端側は、浴室１内側に移動することがなく、ドア本体１１と壁部２との間に隙間が生じることがない。
【００２１】
ラッチ機構１４は、図１に示すように、ドア本体１１を閉じたときに、壁部２に形成された図示しない孔部に向かって出入自在に構成された突起状の部材である。ラッチ機構１４は、図示しない孔部内に入ることにより、ドア本体１１を閉状態に保持する機能を有している。
また、ラッチ機構１４は、ドア本体１１の他端側の中央部に設けられている。そのため、前記したように、ドア本体１１が浴室１外から浴室１内側に向かって押し出されたとしても、ラッチ機構１４がドア本体１１の他端側中央部を支持し、ドア本体１１を閉状態に保持するため、ドア本体１１の他端側中央部と壁部２との間に、隙間が生じることがない。
また、ラッチ機構１４は、図１に示す把手部１６と連結している。よって、利用者が把手部１６を開方向に回動した場合、ラッチ機構１４は、図示しない孔部内から脱出して、ドア本体１１の閉状態を解除することができるようになっている。
【００２２】
掛止手段１５は、図１に示すように、ドア本体１１の他端側の上下の角部に設けられて、ドア本体１１の上部側又は下部側に出没する部材である。また、掛止手段１５は、図２に示すように、壁部２内に形成された穴部１８内に入ることにより、ドア本体１１の他端側の上下の角部を壁部２に掛止する機能を有している。
また、掛止手段１５は、ドア本体１１の他端側の上下の角部に設けられているため、ドア本体１１が浴室１外から浴室１内側に向かって押し出されたとしても、掛止手段１５がドア本体１１の他端側の上下の角部を掛止し、ドア本体１１を閉状態に保持するため、ドア本体１１の他端側角部と壁部２との間に、隙間が生じることがない。
また、掛止手段１５は、図１に示す把手部１６に連結している。よって利用者が把手部１６を開方向に回動した場合、掛止手段１５は、図２に示す穴部１８内から脱出して、ドア本体１１を回動自在な状態にすることができるようになっている。
【００２３】
シール部材１７は、図２に示すように、例えばゴムパッキンなどの弾性部材であって、閉状態のドア本体１１の周縁に弾接するように設けられている。本実施形態では、シール部材１７は、壁部２のドア取付開口部の全周にわたって環状に設置されている。これによって、壁部２とドア本体１１との隙間をシール部材１７により密閉することができる。
【００２４】
（可動式ガラリ２０）
可動式ガラリ２０は、通常の入浴時やと換気時に、浴室外の空気が浴室内に流入できるようにしつつ、浴室外から浴室内を視認不可にするとともに、低気圧入浴時に、浴室外の空気が浴室内に流入しないようにするための部材である。可動式ガラリ２０は、図１に示すように、ドア本体１１に貫通形成されたガラリ取付部１２に取り付けられている。そして、可動式ガラリ２０は、図３に示すように、中央部に開口部２１が設けられた枠部２２と、その開口部２１を開閉する羽根板部２３と、その羽根板部２３を回動させて開閉状態を切り替える回動手段２６とを備えている。
【００２５】
（枠部２２）
図３に示す枠部２２は、中央部に開口した開口部２１を有する方形枠状の部材である。そして、この開口部２１を有する枠部２２が、ガラリ取付部１２に取り付けられることにより（図１参照）、その開口部２１を介して、浴室１外の気体が浴室１内に流入することが可能となる。
【００２６】
（羽根板部２３）
羽根板部２３は、図３に示すように、開口部２１内に所定の間隔を有して並列して設けられた複数の羽根板２４から構成されている。
各羽根板２４は、図３及び図４に示すように、水平方向に細長い長方形の略平板状に形成されている。また、各羽根板２４の長手方向の両端部の中心部には、回動軸２５が突出形成されている。そして、その回動軸２５が枠部２２に回動可能に軸支されており、これによって、羽根板２４は回動可能となっている。
ここで、図４に示すように、複数の羽根板２４が斜めに回動した場合、羽根板部２３は、開口部２１を密閉することなく、かつ、浴室１外から浴室１内を視認不可とすることができる。
一方で、図５に示すように、隣接する各羽根板２４の縁部同士が当接する程度、かつ、上端及び下端の羽根板２４が開口部２１に当接する程度に回動した場合、羽根板部２３は、開口部２１を密閉することができる。また、より気密に開口部２１を密閉する観点から、図４に示すように、各羽根板２４が回動した場合に当接する羽根板２４の縁部及び開口部２１には、気密パッキン３０を設けることが望ましい。
また、羽根板部２３は、図３から図５に示されるように、５つの羽根板２４から構成されているが、本発明においては、羽根板の枚数は特に限定されるものでない。また、羽根板部２３は、構成する羽根板２４の枚数が少ない方が、開口部２１をより確実に密閉することができる。
なお、羽根板２４の形状は、水返しの機能を併せて保持できれば、前記する平面板状に限られず、側面視略くの字状のいわゆる山型状の羽根板を用いても良い。
【００２７】
（回動手段２６）
回動手段２６は、羽根板部２３を回動させるための部材であって、各回動軸２５に取り付けられた複数のピニオン部２７と、これら複数のピニオン部２７に歯合するラック部２８と、ラック部２８を操作するための操作部２９と、から構成されている。
ピニオン部２７は、図６に示すように、中心に丸孔が形成された歯車部材である。ピニオン部２７の丸孔には、羽根板２４の回動軸２５が挿入嵌合し一体化している。そのため、ピニオン部２７が回動すると羽根板２４も回動するようになっている。
ラック部２８は、一面側にラック歯車が形成された棒状部材である。ラック部２８は、枠部２２の内部において、上下にスライド可能に支持されている。ラック部２８は、各ピニオン部２７に歯合している。
操作部２９は、利用者が操作する部分であり、ラック部２８の他面側に突出形成されている。操作部２９は、枠部２２に形成された長孔から枠部２２の外部に突出している。利用者が、操作部２９を上下にスライドさせると、ラック部２８が上下にスライドし、各ピニオン部２７が回動する。そして、各ピニオン部２７の回動に伴って、各羽根板２４が回動するようになっている。
なお、上下にスライド可能な操作部２９ではなく、回転式つまみの操作部としてもよい。この場合、回転式つまみの操作部であれば、枠部２２に形成される孔は小さくなり、気密性をより高められる。
【００２８】
（排気手段４０）
排気手段４０は、浴室１内の気体を排出するための装置であって、例えば、換気扇と換気口などで構成されている。排気手段４０は、浴室１の天井に設けられている。
なお、本発明の排気手段は、これに限定されるものではなく、浴室１内の気体を排出することができればどのような装置でも構わない。
【００２９】
（使用方法）
つぎに、本実施形態における浴室１の使用方法について説明する。
まず、利用者が、浴室１内に入り、ドア部１０を閉じて把手部１６を閉方向に回動すると、ラッチ機構１４が、図示しない壁部２に形成された孔部に挿入されるとともに、掛止手段１５が壁部２に形成された穴部１８に挿入される。これにより、ドア部１０の他端側の中央部と上下の角部が壁部２に掛止された状態となる。
また、利用者は、可動式ガラリ２０の操作部２９を下方向に動かして、複数の羽根板２４を回動させる。これにより、開口部２１は、図５に示すように、羽根板部２３により密閉される。
そして、利用者は、排気手段４０を起動して、浴室１内の気体を排出する。
【００３０】
以上の操作により、浴室１内は、排気手段により減圧され、浴室１内の気圧が浴室１外の気圧よりも低気圧となったとしても、通気部である開口部２１が羽根板部２３によって密閉されており、浴室１外の気体が浴室１内に流入することはない。
また、もうひとつの通気部である、ドア部１０と壁部２との隙間を、シール部材１７が密閉しているため、壁部２とドア本体１１との隙間を介して、浴室１外の気体が浴室１内に流入することはない。
そのため、排気手段４０によって浴室１内の気体が排出されることにより、浴室１の内部が減圧され、浴室１外よりも低気圧化したとしても、通気部を介して、浴室１外の気体が浴室１内に流入することがない。
【００３１】
また、ドア部１０は、一端側が軸支部１３によって壁部２に固定されているとともに、他端側がラッチ機構１４と掛止手段１５によって壁部２に掛止されている。よって、浴室１内の気圧が浴室１外の気圧よりも低くなって、その気圧差により、ドア部１０に、浴室１内側に向かって押圧するような圧力が作用したとしても、壁部２とドア部１０との間に隙間が生じて、浴室１外の気体が浴室１内に流入することがない。
【００３２】
以上、実施形態における浴室１について説明したが、前記する浴室１は、気密性が保全されているため、排気手段４０による浴室１内の低気圧化を維持することができる。よって、実施形態における浴室１によれば、浴室内の低気圧化を容易に実現することができ、ひいては、利用者の免疫力を向上させることができる。
【００３３】
その他、前記した実施形態において、ドア部１０は、軸支部１３によってドア本体１１が回動可能に軸支されており、最も気密性に優れる、いわゆる“開き戸タイプ”であるが、浴室１内の気密性を確保できてば、これに限定されるものではない。たとえば、ドア部は、壁部２内に形成された戸袋に収納可能な“引き戸タイプ“や、ドア本体が二つ折り可能な”折れ戸タイプ“であってもよい。
【００３４】
なお、ドア部１０として“引き戸タイプ“を用いて実施する場合には、実施形態で説明した掛止手段１５を設けるのが望ましい。掛止手段１５を設ければ、“引き戸タイプ“のドア部は、閉状態を保持でき、壁部２との間に隙間が生じるおそれがなくなるからである。
また、ドア部１０として”折れ戸タイプ“を用いる場合には、二枚の部材の連結部分には、実施形態で説明した掛止手段１５を設けるのが望ましい。掛止手段１５を設ければ、”折れ戸タイプ“のドア部は、気圧差により二枚の部材の連結部分で折り曲がることを阻止でき、壁部２との間に隙間が生じるおそれがなくなるからである。
【００３５】
なお、前記した実施形態において、可動式ガラリ２０の開口部２１は、複数の回動可能な羽根板２４からなる羽根板部２３によって密閉されていたが、本発明はこれに限定されるものではない。たとえば、可動式ガラリ２０は、図７に示すように、ドア本体１１内に設けられた戸袋に収納可能な密閉板３１を備えてもよい。この場合、利用者が密閉板３１を下ろすことによって、密閉板３１が開口部２１を密閉することができる。
また、密閉板３１が開口部２１を密閉する場合においても、気密性の観点から、密閉板３１が当接する開口部２１に気密パッキン３２を設けることが望ましい。
【符号の説明】
【００３６】
１      浴室
２      壁部
１０    ドア部
１１    ドア本体
１２    ガラリ取付部
１３    軸支部
１４    ラッチ機構
１５    掛止手段
１６    把手部
１７    シール部材
１８    穴部
２０    可動式ガラリ
２１    開口部
２２    枠部
２３    羽根板部
２４    羽根板
２５    回動軸
２６    回動手段
２７    ピニオン部
２８    ラック部
２９    操作部
３０、３２  気密パッキン
３１    密閉板
４０    排気手段
【図１】
2010229624.tif 000003
【図２】
2010229624.tif 000004
【図３】
2010229624.tif 000005
【図４】
2010229624.tif 000006
【図５】
2010229624.tif 000007
【図６】
2010229624.tif 000008
【図７】
2010229624.tif 000009